(57)【要約】【課題】  作業者の負担を軽減しながら、安いコストで、比較的狭いエリアの清掃作業を手軽に行うことができる手動式清掃具を提供することである。【解決手段】  中空の本体ケースと、前記本体ケースに取り付けられた作業者が手押しするバーと、前記本体ケースの底面前方に設けられた左右一対の前輪と、前記本体ケースの底面前方に設けられた左右一対のブラシと、前記本体ケースに設けられた前記左右一対のブラシの間のゴミ回収口と、該手動式清掃具の進行時の前記前輪の回転に連動して前記ブラシを回転させるブラシ回転手段とを備え、該手動式清掃具の進行に伴なう前記ブラシの回転によって前記ゴミ回収口から前記本体ケース内にゴミを掻き込み回収する。【選択図】  図１
2007077664.tif 000002
【特許請求の範囲】
【請求項１】
中空の本体ケースと、前記本体ケースに取り付けられた作業者が手押しするバーと、前記本体ケースの底面前方に設けられた左右一対の前輪と、前記本体ケースの底面前方に設けられた左右一対のブラシと、前記本体ケースに設けられた前記左右一対のブラシの間のゴミ回収口と、該手動式清掃具の進行時の前記前輪の回転に連動して前記ブラシを回転させるブラシ回転手段とを備え、該手動式清掃具の進行に伴なう前記ブラシの回転によって前記ゴミ回収口から前記本体ケース内にゴミを掻き込み回収する手動式清掃具であって、
前記本体ケースの前方両脇に、回転することによって前方や側方の障害物に対する衝突の緩衝となるコロを設けたことを特徴とする手動式清掃具。
【請求項２】
中空の本体ケースと、前記本体ケースに取り付けられた作業者が手押しするバーと、前記本体ケースの底面前方に設けられた左右一対の前輪と、前記本体ケースの底面前方に設けられた左右一対のブラシと、前記本体ケースに設けられた前記左右一対のブラシの間のゴミ回収口と、該手動式清掃具の進行時の前記前輪の回転に連動して前記ブラシを回転させるブラシ回転手段とを備え、該手動式清掃具の進行に伴なう前記ブラシの回転によって前記ゴミ回収口から前記本体ケース内にゴミを掻き込み回収する手動式清掃具であって、
前記ブラシと路面との間隔を調整するブラシ位置調整手段をさらに設け、前記ブラシ位置調整手段の調整を作業者が行う調整用ダイヤルを前記バーに設けたことを特徴とする手動式清掃具。
【請求項３】
中空の本体ケースと、前記本体ケースに取り付けられた作業者が手押しするバーと、前記本体ケースの底面前方に設けられた左右一対の前輪と、前記本体ケースの底面前方に設けられた左右一対のブラシと、前記本体ケースに設けられた前記左右一対のブラシの間のゴミ回収口と、該手動式清掃具の進行時の前記前輪の回転に連動して前記ブラシを回転させるブラシ回転手段とを備え、該手動式清掃具の進行に伴なう前記ブラシの回転によって前記ゴミ回収口から前記本体ケース内にゴミを掻き込み回収する手動式清掃具であって、
前記ブラシ回転手段が、前記前輪の回転が伝達される複数の歯車によって回転軸の向きを変えて前記ブラシを回転させることを特徴とする手動式清掃具。
【発明の詳細な説明】
【技術分野】
【０００１】
本発明は手動式清掃具に関し、詳しくは、室内の床面や野外の路面等に散乱する空き缶、落ち葉、紙くず、タバコの吸殻、塵埃などのゴミを、手押し走行中に回収して清掃する手動式清掃具に関する。
【背景技術】
【０００２】
従来、室内の床面や野外の路面等の清掃にあたっては、作業者がホウキとチリトリを使ってゴミを回収するのが通常であった。しかしながら、このような清掃作業は、作業者に腰を屈めた不自然な姿勢を強いるため、清掃者の疲労度が高く、億劫な作業であった。
【０００３】
このため、作業者の負担を軽減して清掃作業を行うことができる装置の提供が望まれていた。
【０００４】
たとえば、特許文献１に記載の路面清掃車によれば、路面のゴミを吸引する吸引ホースを備えた清掃車に作業者が乗車し、作業者は清掃車に乗車した状態で操作を行うだけで清掃作業を行うことができるので、作業者の負担を軽減して清掃作業を効率的に行うことができる。
【０００５】
【特許文献１】特開２００５−２０９４６０号公報
【発明の開示】
【発明が解決しようとする課題】
【０００６】
ところが、特許文献１に記載の路面清掃車は大型であり、またコストも高く、たとえば室内の床面や、家庭の庭掃除、小さな路地、小さな公園などの比較的狭いエリアの清掃には向かないものであった。
【０００７】
本発明は上記の点にかんがみてなされたもので、作業者の負担を軽減しながら、安いコストで、比較的狭いエリアの清掃作業を手軽に行うことができる手動式清掃具を提供することを目的とする。
【課題を解決するための手段】
【０００８】
本発明は上記課題を解決するため、中空の本体ケースと、前記本体ケースに取り付けられた作業者が手押しするバーと、前記本体ケースの底面前方に設けられた左右一対の前輪と、前記本体ケースの底面前方に設けられた左右一対のブラシと、前記本体ケースに設けられた前記左右一対のブラシの間のゴミ回収口と、該手動式清掃具の進行時の前記前輪の回転に連動して前記ブラシを回転させるブラシ回転手段とを備え、該手動式清掃具の進行に伴なう前記ブラシの回転によって前記ゴミ回収口から前記本体ケース内にゴミを掻き込み回収する手動式清掃具であって、前記本体ケースの前方両脇に、回転することによって前方や側方の障害物に対する衝突の緩衝となるコロを設けたことを特徴とする。
【０００９】
また本発明は、中空の本体ケースと、前記本体ケースに取り付けられた作業者が手押しするバーと、前記本体ケースの底面前方に設けられた左右一対の前輪と、前記本体ケースの底面前方に設けられた左右一対のブラシと、前記本体ケースに設けられた前記左右一対のブラシの間のゴミ回収口と、該手動式清掃具の進行時の前記前輪の回転に連動して前記ブラシを回転させるブラシ回転手段とを備え、該手動式清掃具の進行に伴なう前記ブラシの回転によって前記ゴミ回収口から前記本体ケース内にゴミを掻き込み回収する手動式清掃具であって、前記ブラシと路面との間隔を調整するブラシ位置調整手段をさらに設け、前記ブラシ位置調整手段の調整を作業者が行う調整用ダイヤルを前記バーに設けたことを特徴とする。
【００１０】
また本発明は、中空の本体ケースと、前記本体ケースに取り付けられた作業者が手押しするバーと、前記本体ケースの底面前方に設けられた左右一対の前輪と、前記本体ケースの底面前方に設けられた左右一対のブラシと、前記本体ケースに設けられた前記左右一対のブラシの間のゴミ回収口と、該手動式清掃具の進行時の前記前輪の回転に連動して前記ブラシを回転させるブラシ回転手段とを備え、該手動式清掃具の進行に伴なう前記ブラシの回転によって前記ゴミ回収口から前記本体ケース内にゴミを掻き込み回収する手動式清掃具であって、前記ブラシ回転手段が、前記前輪の回転が伝達される複数の歯車によって回転軸の向きを変えて前記ブラシを回転させることを特徴とする。
【発明の効果】
【００１１】
本発明によれば、作業者の負担を軽減しながら、安いコストで、比較的狭いエリアの清掃作業を手軽に行うことができる手動式清掃具を提供することができる。
【００１２】
また本発明によれば、前記本体ケースの前方両脇に、回転することによって前方や側方の障害物に対する衝突の緩衝となるコロを設けたので、狭いエリアの清掃もスムーズに行うことができる。
【００１３】
また本発明によれば、ブラシと路面との間隔を調整するブラシ位置調整手段をさらに設け、ブラシ位置調整手段の調整を作業者が行う調整用ダイヤルをバーに設けたので、作業者は、バーに設けられた調整用ダイヤルを用いて手元でブラシ位置を調整することができる。
【００１４】
また本発明によれば、ブラシ回転手段が、前輪の回転が伝達される複数の歯車によって回転軸の向きを変えてブラシを回転させるようにしたので、簡単でコンパクトな構造で前輪の回転によってブラシを回転させることができる。
【発明を実施するための最良の形態】
【００１５】
以下、本発明の実施の形態について図面を参照して詳細に説明する。
【００１６】
図１は、本発明の一実施の形態による手動式清掃具を示す斜視図である。
【００１７】
図１に示すように、手動式清掃具１は、前部ケース４１と後部ケース４２とから成る中空の本体ケース２にバー３を取り付けて構成される。
【００１８】
前部ケース４１の前方下側には、後述する前輪１０１および１２１と連動する皿を伏せた形状のブラシ５１および５２が設けられており、作業者がバー３の上部を握って手動式清掃具１を手押しして前方に進行させたとき（図１３参照）、前輪１０１および１２１の回転に伴なって、ブラシ５１は上から見て反時計回りに回転し、一方ブラシ５２は時計回りに回転し、この回転によって前方のゴミをブラシ５１とブラシ５２との間の開口しているゴミ回収口４３に掻き込み本体ケース２内に回収する。清掃対象の路面は、平坦であることが望ましいが、路面材質は、アスファルト、コンクリートシール床、Ｐタイル床、クッションフロア床、カーペット床などさまざまなものに対応可能である。
【００１９】
本体ケース２内に回収したゴミを廃棄する際には、本体ケース２を傾けて後部ケース４２側にゴミを寄せ、取っ手４２ａを持ち上げることによって前部ケース４１から後部ケース４２を取り外し、その後部ケース４２内の回収されたゴミをゴミ箱等に廃棄する。
【００２０】
なお、前部ケース４１の前方の両脇には回転可能なコロ６１および６２が設けられており、このコロ６１および６２が回転することによって、前方や側方の塀などの障害物に対する衝突の緩衝となる。
【００２１】
また、バー３の上部には調整用ダイヤル７が設けられており、調整用ダイヤル７の回転はワイヤーケーブル８によって前部ケース４１内に伝えられ、路面とブラシ５１や５２との間隔を調節できる構造になっている。
【００２２】
図２は、図１に示した手動式清掃具１の調整用ダイヤル７の構造を示す分解斜視図である。
【００２３】
図３は、図２に示した調整用ダイヤル７を組立てた状態を示す斜視図である。
【００２４】
図２に示すように、調整用ダイヤル７は、ツマミ部７１と蓋部７２と回転部７３とバネ７４とケース７５とを有して構成され、ケース７５がネジ７６および７７によってバー３に固定される。
【００２５】
ツマミ部７１は蓋部７２を間に挟んで回転部７３に固着される。ツマミ部７１および回転部７３と蓋部７２とは固定されておらず、ツマミ部７１および回転部７３は、蓋部７２に対して回転可能に設けられている。
【００２６】
ワイヤーケーブル８はチューブ８１の内部にワイヤー８２を設けて構成され、チューブ８１の先端には留め金８１ａが設けられ、またワイヤー８２の先端には、ワイヤー８２の直径よりも大きな球状の固まりである留め部８３が設けられている。
【００２７】
留め部８３は回転部７３の引っ掛け溝７３ａに引っ掛けられ、また留め金８１ａは、蓋部７２の嵌合溝７２ｂおよびケース７５の嵌合溝７５ａとに嵌め込まれて固定される。この状態で、ツマミ部７１を回して回転部７３が回ると、留め部８３の引っ掛かりによって、ワイヤー８２がチューブ８１から引き出されて回転部７３に巻き取られる。
【００２８】
バネ７４は回転部７３を蓋部７２に押し付ける役目を果たし、回転部７３が回転してストッパ溝７３ｂ、７３ｃ、７３ｄ、７３ｅのいずれかが、蓋部７２に設けられたストッパ７２ａに嵌合して、回転部７３の回転を止めて固定し、ワイヤー８２のチューブ８１からの引き出し具合を固定する。
【００２９】
バネ７４によって回転部７３を蓋部７２に押し付けてストッパ７２ａがストッパ溝７３ｂ、７３ｃ、７３ｄ、７３ｅのいずれかに嵌った状態では、ツマミ部７１は蓋部７２から浮き上がった状態にあり、作業者が、ツマミ部７１を蓋部７２に押し付けると、ツマミ部７１に固着された回転部７３はバネ７４を押しながらケース７５側に動き、ストッパ７２ａがストッパ溝７３ｂ、７３ｃ、７３ｄ、７３ｅから抜け出す。作業者は、ツマミ部７１を蓋部７２に押し付けたままでツマミ部７１を回し、ストッパ溝７３ｂ、７３ｃ、７３ｄ、７３ｅのうちの所望の溝がストッパ７２ａの位置に来るようにしてから、ツマミ部７１の蓋部７２への押し付けを離し、ワイヤー８２のチューブ８１からの引き出し具合を調節する。
【００３０】
蓋部７２には目盛Ｗ、Ｘ、Ｙ、Ｚが設けられており、回転部７３のストッパ溝７３ｂがストッパ７２ａの位置にあるときに、ツマミ部７１の指示部７１ａが目盛Ｗの位置を向くように、ツマミ部７１と回転部７３とが固着される。また、ストッパ溝７３ｃがストッパ７２ａの位置にあるときには指示部７１ａは目盛Ｘの位置を向き、ストッパ溝７３ｄがストッパ７２ａの位置にあるときには指示部７１ａは目盛Ｙの位置を向き、ストッパ溝７３ｄがストッパ７２ａの位置にあるときには指示部７１ａは目盛Ｚの位置を向く。
【００３１】
図４は、図３に示した調整用ダイヤル７のツマミ部７１の位置による状態を示す図であり、（Ａ）は、調整用ダイヤル７をツマミ部７１の方向から見た平面図であり、（Ｂ）は（Ａ）の方向Ｂでの側断面図であってツマミ部７１を押し込まない状態を示す図であり、（Ｃ）は（Ａ）の方向Ｂでの側断面図であってツマミ部７１を蓋部７２の方へ押し込んだ状態を示す図である。
【００３２】
図５は、図４（Ｃ）に示した状態からツマミ部７１を回転させた場合を示す図であり、（Ａ）は、指示部７１ａが目盛Ｗと目盛Ｘとの間の位置を向いている状態での平面図であり、（Ｂ）は（Ａ）の方向Ｂでの側断面図であり、（Ｃ）は、指示部７１ａが目盛Ｘの位置を向いている状態での平面図であり、（Ｄ）は（Ｃ）の方向Ｄでの側断面図である。
【００３３】
図４（Ａ）に示すように指示部７１ａが目盛Ｗの位置を向いているときには、図４（Ｂ）に示すようにストッパ７２ａはストッパ溝７３ｂに嵌っている。この状態でツマミ部７１を蓋部７２の方へ押し込むと、図４（Ｃ）に示すようにストッパ７２ａはストッパ溝７３ｂから抜け出し、ツマミ部７１および回転部７３は回転可能となる。
【００３４】
ツマミ部７１を回転させているときには、図５（Ａ）および図５（Ｂ）に示すように、ストッパ７２ａはストッパ溝７３ｂ、７３ｃ、７３ｄ、７３ｅのいずれにも嵌っていない状態である。
【００３５】
ツマミ部７１の回転が進み、指示部７１ａが目盛Ｘの位置を向くと、図５（Ｃ）および図５（Ｄ）に示すように、ストッパ７２ａストッパ溝７３ｃに嵌合し、ツマミ部７１は、押し込まないと回転しない状態となる。
【００３６】
図６は、図１に示した手動式清掃具１の前部ケース４１の内部を見せる斜視図であり、図２に示したワイヤーケーブル８の調整用ダイヤル７側とは別の端を示す図である。
【００３７】
図６に示すように、前部ケース４１には、ブラシ５１、５２それぞれの中心に位置するように前輪１０１および１２１が設けられている。また、前輪１０１および１２１それぞれは、ギアボックス１００および１２０を介し、支軸１０２および１２２によってシャフト９１に固定されている。
【００３８】
シャフト９１は、図６に示すように両端が曲げられて、その先端９１ａ、９１ｂは前部ケース４１の固定穴４１ａ、４１ｂに挿し込まれて固定されている。シャフト９１は、先端９１ａ、９１ｂを軸に回動可能に設けられているが、その位置は、シャフト９１に取り付けられたバネ９３ａ、９３ｂの力によって上側に押し付けられ、また、ワイヤー８２の長さに基づき下側に引っ張られて定められる。
【００３９】
ワイヤーケーブル８のシャフト９１側には、調整用ダイヤル７側の留め金８１ａと同様にチューブ８１の先端に留め金（図示せず）が設けられ、またワイヤー８２の先端は基台９４を介してシャフト９１を巻きこんで留め具９２にて固定されている（図７、図８参照）。
【００４０】
図７は、図６に示した前輪１０１の周辺を示す側断面図であり、調整用ダイヤル７の指示部７１ａを目盛Ｗの位置に向けた状態の図である。
【００４１】
図７の例では、調整用ダイヤル７の指示部７１ａを目盛Ｗの位置に向いている場合には、チューブ８１のシャフト９１側の留め金から露出するワイヤー８２の長さが最も長く、シャフト９１は、バネ９３ａ、９３ｂによって上側に押し付けられ、前部ケース４１に当接する位置に来ており（これに限らず、前部ケース４１に当接しない位置で留まるように設定、調節してもよい。）、前部ケース４１に上下方向を固定されたブラシ５１に対して前輪１０１は上側にあり、結果として、ブラシ５１がより路面に押し付けられることになる。路面がタイルのような場合には、ブラシを路面に密着させるのがよく、この状態で手動式清掃具１を使用するのが望ましい。
【００４２】
これに対して、路面がカーペットのような場合には、ブラシを路面に密着させ過ぎると走行性が悪化してしまうので、路面とブラシとの間隔を広げるのがよい。この状態を図８に示す。
【００４３】
図８は、図６に示した前輪１０１の周辺を示す側断面図であり、調整用ダイヤル７の指示部７１ａを目盛Ｗの位置に向けた状態の図である。
【００４４】
図８の例のように、調整用ダイヤル７の指示部７１ａを目盛Ｚの位置に向けると、前述のように調整用ダイヤル７側にてワイヤー８２が巻き取られ、チューブ８１のシャフト９１側の留め金から露出するワイヤー８２の長さが短くなり、前部ケース４１に上下方向を固定されたブラシ５１に対して前輪１０１は下側にあり、結果として、ブラシ５１がより路面から浮くようになる。
【００４５】
図９は、図１に示した手動式清掃具１の底面図である。
【００４６】
図９に示すように、後部ケース４２の底面には後輪４２ｂが設けられ、手動式清掃具１は前輪１０１、１２１および後輪４２ｂによって路面に接触し進行する。
【００４７】
図１に示したゴミ回収口４３の下部にはへら部４１ｃが設けられており、ブラシ５１、５２によって掻き込むゴミをすくうように構成されている。
【００４８】
次に、前輪とブラシとの連動について説明する。
【００４９】
図１０は、図１に示した手動式清掃具１のブラシ５１および前輪１０１の周辺部品を示す分解斜視図である。
【００５０】
図１１は、図１０に示したギアボックス１００内の各歯車を噛み合わせた状態を示す分解斜視図である。
【００５１】
図１２は、図１０に示したブラシ５１および前輪１０１の周辺部品を組立てた状態を部分的に透かして示す側面図である。
【００５２】
なお、ブラシ５２および前輪１２１の周辺部品も同様であるので（ただし各歯車の設置位置を逆にして、前輪の回転に連動したブラシの回転方向を逆にしてある。）、詳しい説明は省略する。
【００５３】
ギアボックス１００は、カバー１１０および１１１の内部に図１０に示す構成を有する。すなわち図１０に示すように、前輪１０１の回転軸１０３には歯車１０４が取り付けられ、歯車１０４の回転は歯車１０５に伝達され、歯車１０５の回転は歯車１０６に伝達され、歯車１０６の回転軸１０７には歯車１０８が取り付けられ、歯車１０８の回転は歯車１０９に伝達されて回転方向の変換が行われる。なお、歯車１０９にはその上部に八角孔１０９ａが設けられている。
【００５４】
一方、ブラシ５１は、ネジ穴５１ａと５３ｂとをネジ止めすることによって回転板５３に固定される。回転板５３の中心部分には、八角柱の形状であって八角孔１０９ａに嵌合する八角突起５３ａが設けられている。
【００５５】
回転板５３およびブラシ５１は、前部ケース４１に対して回動可能に取り付けられており、図１２で言うところの左側に前輪１０１が転がりながら進むと、その回転を、歯車１０４、歯車１０５、歯車１０６、歯車１０８（八角孔１０９ａ）、八角突起５３ａと順に伝達し、これによってブラシ５１は上方から見て反時計回りに回転する。
【００５６】
一方、ブラシ５２は、前述のように時計回りに回転し、手動式清掃具１の進行に伴なうブラシ５１および５２の回転によってゴミを容易に掻き集めることができる。
【図面の簡単な説明】
【００５７】
【図１】本発明の一実施の形態による手動式清掃具を示す斜視図である。
【図２】図１に示した手動式清掃具１の調整用ダイヤル７の構造を示す分解斜視図である。
【図３】図２に示した調整用ダイヤル７を組立てた状態を示す斜視図である。
【図４】図３に示した調整用ダイヤル７のツマミ部７１の位置による状態を示す図であり、（Ａ）は、調整用ダイヤル７をツマミ部７１の方向から見た平面図であり、（Ｂ）は（Ａ）の方向Ｂでの側断面図であってツマミ部７１を押し込まない状態を示す図であり、（Ｃ）は（Ａ）の方向Ｂでの側断面図であってツマミ部７１を蓋部７２の方へ押し込んだ状態を示す図である。
【図５】図４（Ｃ）に示した状態からツマミ部７１を回転させた場合を示す図であり、（Ａ）は、指示部７１ａが目盛Ｗと目盛Ｘとの間の位置を向いている状態での平面図であり、（Ｂ）は（Ａ）の方向Ｂでの側断面図であり、（Ｃ）は、指示部７１ａが目盛Ｘの位置を向いている状態での平面図であり、（Ｄ）は（Ｃ）の方向Ｄでの側断面図である。
【図６】図１に示した手動式清掃具１の前部ケース４１の内部を見せる斜視図であり、図２に示したワイヤーケーブル８の調整用ダイヤル７側とは別の端を示す図である。
【図７】図６に示した前輪１０１の周辺を示す側断面図であり、調整用ダイヤル７の指示部７１ａを目盛Ｗの位置に向けた状態の図である。
【図８】図６に示した前輪１０１の周辺を示す側断面図であり、調整用ダイヤル７の指示部７１ａを目盛Ｗの位置に向けた状態の図である。
【図９】図１に示した手動式清掃具１の底面図である。
【図１０】図１に示した手動式清掃具１のブラシ５１および前輪１０１の周辺部品を示す分解斜視図である。
【図１１】図１０に示したギアボックス１００内の各歯車を噛み合わせた状態を示す分解斜視図である。
【図１２】図１０に示したブラシ５１および前輪１０１の周辺部品を組立てた状態を部分的に透かして示す側面図である。
【図１３】図１に示した手動式清掃具１の使用状態を示す斜視図である。
【符号の説明】
【００５８】
１  手動式清掃具
２  本体ケース
３  バー
４１  前部ケース
４２  後部ケース
４２ａ  取っ手
４３  ゴミ回収口
５１、５２  ブラシ
６１、６２  コロ
７  調整用ダイヤル
８  ワイヤーケーブル
【図１】
2007077664.tif 000003
【図２】
2007077664.tif 000004
【図３】
2007077664.tif 000005
【図４】
2007077664.tif 000006
【図５】
2007077664.tif 000007
【図６】
2007077664.tif 000008
【図７】
2007077664.tif 000009
【図８】
2007077664.tif 000010
【図９】
2007077664.tif 000011
【図１０】
2007077664.tif 000012
【図１１】
2007077664.tif 000013
【図１２】
2007077664.tif 000014
【図１３】
2007077664.tif 000015